(57)【要約】【課題】商品の万引きを防止するとともに、顧客が購入した商品情報を保護すること。【解決手段】  キャパシタと整流回路とメモリと第１のアンテナを有し、外部から電波を受けて第１のアンテナで発生した誘導電流を整流回路により直流電流としてキャパシタに充電可能に形成されかつメモリ内に仮精算情報を記憶可能な無線タグを有する商品の決済処理を商品決済システムにおいて、無線タグリーダライタと第２のアンテナと警報装置を備え、無線タグリーダライタが第２のアンテナを介して無線タグとデータ通信し、商品決済システムが仮精算情報は未清算状態であると認識したときに警報装置を作動させ、仮精算情報は清算済みであると認識したとき無線タグの感度を低下させる。【選択図】図５
2010204846.tif 000002
【特許請求の範囲】
【請求項１】
キャパシタと整流回路とメモリと第１のアンテナを有し、外部から電波を受けて前記第１のアンテナで発生した誘導電流を前記整流回路により直流電流として前記キャパシタに充電可能に形成されかつ前記メモリ内に仮精算情報を記憶可能な無線タグを有する商品の決済処理を行うために、前記無線タグに保存された該商品に係るデータの通信を行う商品決済システムにおいて、
前記商品決済システムは、無線タグリーダライタと前記無線タグリーダライタに接続された第２のアンテナと警報装置を備え、前記無線タグリーダライタが前記第２のアンテナを介して前記無線タグと該データ通信し、前記商品決済システムが前記仮精算情報は未清算状態であると認識したときに前記警報装置を作動させ、前記仮精算情報は清算済みであると認識したとき前記無線タグの感度を低下させることを特徴とする商品決済システム。
【請求項２】
キャパシタと整流回路とメモリと第１のアンテナを有し、外部から電波を受けて前記第１のアンテナで発生した誘導電流を前記整流回路により直流電流として前記キャパシタに充電可能に形成されかつ前記メモリ内に仮精算情報を記憶可能な無線タグを有する商品の決済処理を行うために、前記無線タグに保存された該商品に係るデータの通信を行う商品決済システムに用いる万引き防止装置において、
前記万引き防止装置は、無線タグリーダライタと前記無線タグリーダライタに接続された第２のアンテナと警報装置を備え、前記無線タグリーダライタが前記第２のアンテナを介して前記無線タグと通信し、前記万引き防止装置が前記メモリに保存された仮精算情報は未清算状態であると認識したときに前記警報装置を作動させ、前記仮精算情報は清算済みであると認識したとき前記無線タグの感度を低下させることを特徴とする万引き防止装置。
【請求項３】
キャパシタと整流回路とメモリと第１のアンテナを有し、外部から電波を受けて前記第１のアンテナで発生した誘導電流を前記整流回路により直流電流として前記キャパシタに充電可能に形成されかつ前記メモリ内に仮精算情報を記憶可能な無線タグを有する商品の決済処理を行うために、前記無線タグに保存された該商品に係るデータの通信を行う商品決済システムに用いる万引き防止装置において、
前記万引き防止装置は、無線タグリーダライタと前記無線タグリーダライタに接続された第２のアンテナと警報装置を備え、前記無線タグリーダライタが前記第２のアンテナを介して前記無線タグと通信し、前記万引き防止装置が前記メモリに保存された仮精算情報は未清算状態であると認識したときに前記警報装置を作動させ、前記仮精算情報は清算済みであると認識したとき前記キャパシタを放電させることを特徴とする万引き防止装置。
【発明の詳細な説明】
【技術分野】
【０００１】
本発明は、小売店などで利用される商品決済システムに関する。特に、商品に取り付けられた無線タグ（ＲＦＩＤ（Radio Frequency Identification）タグ）から商品コードを読取り、この読取った商品コードに基づいて商品販売データを処理する商品決済システムに関する。また、その商品決済システムで用いる万引き防止装置に関する。
【背景技術】
【０００２】
スーパーマーケット等の量販店では、顧客用に買い物籠やショッピングカートなどの商品収容体が備え付けられている。来店した顧客は、買い物籠を持つかまたはショッピングカートを押しながら店内を回り、購入しようとする商品を買い物籠またはショッピングカートにまとめて入れて精算場所まで運ぶ。精算場所には、バーコード読取装置を搭載するＰＯＳ（Point Of Sales: 販売時点情報管理）端末と呼ばれる決済装置が設置されている。店員（キャッシャ）が商品収容体に入れられた商品を１個ずつ取り出し、商品に付けられたバーコードを読取らせることで、その商品情報を決済装置に入力している。商品収容体に収容された全ての商品情報の入力を終えると、決済装置の表示部に合計金額が表示される。店員は合計金額を顧客へ通知し、顧客は代金を支払い、レシートを受取っている。
【０００３】
店員が商品収容体から商品を１個ずつ取り出して商品情報を決済装置に入力する方法では、入力作業に時間を要すること、また、取り出し作業を繰り返しおこなうため店員の疲労度も大きくなるという問題がある。
【０００４】
このような問題を解決するために、無線タグからデータを読取る無線タグ読取装置（無線タグリーダ）を備えた決済装置が提案されている。無線タグはデータとして各商品固有の商品識別コード等を記憶し、それぞれの商品に添付される。無線タグは、メモリ、アンテナ、送受信回路等を内蔵し、外部からの無線電磁波に同調してメモリのデータ（商品識別コード）を無線送信するものである。無線タグリーダは、無線タグが同調する無線電磁波を発信してメモリデータの問合せを行ない、当該無線タグから送信される無線電磁波によりメモリデータを取得するものである。無線タグリーダは無線電磁波の送受信を行なうアンテナと接続されている。無線タグリーダに接続されたアンテナは、商品収容体の全方位にアンテナが配置されるように、商品収容体が通過し得るトンネル状に作られている。
【０００５】
精算場所では、店員は品を商品収容体から取り出すことなく、無線タグリーダによってまとめて１顧客分の商品識別コードをそれぞれの無線タグのメモリから読み取って決済装置へ入力することができる。したがって、店員が決済装置へデータを入力する作業時間を短縮できる上、店員の作業負担も軽減できる（特許文献１ 参照）。
【０００６】
一方、菓子を包むアルミ蒸着パッケージや、ジュースや酒類のスチール缶などの商品が無線タグの近くに存在すると、無線タグのアンテナが正常に機能しないことがあるため、無線タグの受信電力が低下する。従って、無線タグリーダが商品収容体内の全ての無線タグの情報を読み取ることができないという問題もあった。
【０００７】
無線タグの受信電力が低下しても無線タグが動作できるように改良された高感度の無線タグとして、高利得整流回路とそれを用いた無線タグが知られている（特許文献２参照）。
【０００８】
不正持ち出し警告システムが知られている。ゲートに接近した者が所持する商品に取り付けられているＲＦＩＤタグに記憶されているタグデータをＲＦＩＤリーダが読み出し、そのタグデータに含まれる精算済みフラグの値が未精算であることを示す値であるとき、タグデータに含まれる画像データまたは映像データを表示器の画面に表示させる。タグデータに含まれる警告メッセージを表示器の画面に合成表示し、さらに、タグデータに含まれる警告メッセージに対応する音声をスピーカより出力する。（特許文献３参照）
【発明の概要】
【発明が解決しようとする課題】
【０００９】
無線タグと無線タグリーダとを用いた従来の商品決済システムでは、無線タグリーダのアンテナは、商品収容体の全方位に配置されるように、商品収容体が通過し得るトンネル状の構成として精算場所に設ける必要があった。トンネル状にアンテナを構成すると、精算場所の施設が大規模になるという問題があった。また、精算場所の店員は、商品収容体をトンネル内に通すという作業が要求され、その作業は重労働であった。仮に、チェックアウトカウンタにベルトコンベアを設けて、自動的に商品収容体をトンネル内に通すようにすることも可能であるが、精算場所の施設がさらに大規模なものにならざるを得なかった。
【００１０】
特許文献３に記載の不正持ち出し警告システムでは、顧客が正規に購入した商品に取り付けられたＲＦＩＤタグのフラグが精算済みフラグになったまま店舗外に持ち出される。店舗外で顧客が購入した商品のＲＦＩＤタグを読取ることで、顧客が購入した商品を他人に知られることになる。顧客が個人的に購入した商品情報を知られるといった、プライバシーが守られないことになる。
【課題を解決するための手段】
【００１１】
上記課題を解決するために、下記のような構成とした。
【００１２】
キャパシタと整流回路とメモリと第１のアンテナを有し、外部から電波を受けて前記第１のアンテナで発生した誘導電流を前記整流回路により直流電流として前記キャパシタに充電可能に形成されかつ前記メモリ内に仮精算情報を記憶可能な無線タグを有する商品の決済処理を行うために、前記無線タグに保存された該商品に係るデータの通信を行う商品決済システムにおいて、
前記商品決済システムは、無線タグリーダライタと前記無線タグリーダライタに接続された第２のアンテナと警報装置を備え、前記無線タグリーダライタが前記第２のアンテナを介して前記無線タグと該データ通信し、前記商品決済システムが前記仮精算情報は未清算状態であると認識したときに前記警報装置を作動させ、前記仮精算情報は清算済みであると認識したとき前記無線タグの感度を低下させることを特徴とする商品決済システム。
【発明の効果】
【００１３】
全ての商品に無線タグが取り付けられていない過渡期においては、バーコードと無線タグを併用して商品の決済をすることになる。本発明によれば、その過渡期においても、無線タグを用いた商品決済システムを構築できる。また、無線タグの感度を制御できるため、精算後は無線タグの感度を下げることで、第３者から無線タグの情報を読み取られるような危険性も回避することができる。
【図面の簡単な説明】
【００１４】
【図１】本発明の商品決済システムで用いる商品棚を示す図である。
【図２】商品決済システムの構成図である。
【図３】本発明の携帯端末の構成図である。
【図４】本発明の商品決済システムに接続された精算機の構成を示す図である。
【図５】本発明の商品決済システムに接続された万引き防止装置の構成図である。
【図６】本発明で用いる無線タグの構造を示す図である。
【図７】本発明で用いる無線タグの構造を示す図である。
【図８】無線タグ内部のメモリマップを示す図である。
【発明を実施するための形態】
【００１５】
本発明の実施の形態を、図面を参照して説明する。
【００１６】
図１は商品決済システムで用いる商品棚を示している。商品棚２の各棚に複数の棚アンテナ５が備えられ、各棚アンテナ５は同軸ケーブル４で直列に接続されている。無線タグリーダライタ３は同軸ケーブル４で棚アンテナ５に接続されている。無線タグリーダライタ３はネットワークケーブル１４を通してサーバ１１へ接続されている。無線タグ８（ＲＦＩＤ (Radio Frequency Identification)）とバーコード９が取り付けられた商品７が商品棚２に並べられている。顧客はショッピングカート６（商品収容体）を押しながら店内を回り、購入しようとする商品７をショッピングカート６に入れて精算場所へ運んでいる。顧客は後述する携帯端末１を利用することで、決済処理を短時間でおこなうことができるようになっている。
【００１７】
図２は本発明の商品決済システムの構成を示している。アクセスポイント１０と精算機１２と万引き防止装置１３がネットワークケーブル１４を介してサーバ１１に接続されている。携帯端末1は、バーコードリーダ（バーコード読取装置）と無線タグリーダライタ（無線タグへのデータの書き込みと、無線タグからのデータの読取りをおこなう装置）の機能を備え、アクセスポイント１０を介してサーバ１１と通信できるようになっている。アクセスポイント１０と携帯端末１は無線LAN（Local Area Network）でデータの送受信を行なっている。通信方法として、Bluetoothを用いることもできる。その他、無線の一般的な通信手段を用いることが可能である。
【００１８】
サーバ１１には、商品マスタファイルが設けられている。商品マスタファイルには予め各商品に係るデータが保存されている。商品に係るデータには、商品を識別する商品コード、商品の属性を表す属性コード、商品を特定する商品名、販売価格等の項目データが含まれる。
【００１９】
顧客が携帯端末１のバーコードリーダにより商品の商品コードを入力すると、サーバ１１の商品マスタファイルからこの商品コードによって識別される商品の商品名、販売価格等のデータを呼出す。それらのデータは、アクセスポイント１０を介して携帯端末１に送信される。携帯端末１は商品に係るデータ、すなわち、価格や商品名を表示して、顧客へ通知する。
【００２０】
図３は携帯端末1の構成を示している。携帯端末1は、商品に係る情報を表示する表示器１ａ、携帯端末へデータの入力をおこなうキーボード１ｃ、アクセスポイント１０を介してサーバ１１と通信するための無線LANトランシーバ１ｅ（WLAN トランシーバ (Wireless Local Area Network Transceiver)）、商品に付された無線タグとのデータ通信をおこなう無線タグリーダライタ１ｈ、商品に付されたバーコードを読取るためのバーコードリーダ１ｇと、それらを制御するためのコントローラ１ｂと、携帯端末１を動作させる電力供給用のバッテリ１ｄを備えている。表示器１ａ、キーボード１ｃ、無線LANトランシーバ１ｅ、無線タグリーダライタ（RFIDリーダライタ）１ｈ、バーコードリーダ１ｇがコントローラ１ｂに接続され、携帯端末１の動作は制御される。無線LANトランシーバ１ｅにはアクセスポイント１０とデータ通信をおこなうアンテナ１ｆが接続され、無線タグリーダライタ１ｈには商品に付された無線タグ８とのデータ通信をおこなうためのアンテナ１ｋが接続されている。携帯端末1は、無線LANトランシーバ１ｅによりアンテナ１ｆを介してアクセスポイント１０と接続し、サーバ１１と通信できるようになっている。
【００２１】
図４は精算機１２を示している。精算機１２はＰＯＳ端末であり、商品販売データ処理装置の一態様である。本体制御部（コントローラ１２ｂ）としてＣＰＵ（Central Processing Unit）を搭載している。また、プログラム等の固定的データが予め格納されたＲＯＭ（Read Only Memory）、入力データ，演算処理データ等の可変的データを記憶するための種々のメモリエリアが形成されるＲＡＭ（Random Access Memory）、現在の日時を計時する時計部、オンライン接続されたストアサーバ１１（店舗サーバ）との間で行うデータ通信を制御するＬＡＮインターフェース１２ｍ（Local Area Network）、無線タグとデータ通信をおこなう無線ＬＡＮトランシーバ１２ｅ（ＷＬＡＮトランシーバ１２ｅ（Wireless Local Area Network transceiver））を備えている。無線ＬＡＮトランシーバ１２ｅはアンテナ１２ｆが接続され、携帯端末１との通信および無線タグ８とのデータ通信をおこなう。さらに、精算機１２は、キーボード１２ｃの操作キーに対応したキー信号を取り込むキーボードコントローラ、オペレータ用ディスプレイ（表示器１２ａ）の画面表示を制御する第１の表示コントローラ、客用ディスプレイの画面表示を制御する第２の表示コントローラ、レシート印字を行うプリンタ１２ｈの印字動作を制御するプリンタコントローラ、現金等を収容するための金銭受装置１２ｄ（ドロワ）と、磁気カードのデータを読取り、書込みをおこなうカードリーダ１２ｋと、データ読取音などを発するブザーとにそれぞれ信号を出力するＩ／Ｏ（Input/Output）ポート等を備えている。そしてＣＰＵと、ＲＯＭ，ＲＡＭ，時計部，ＬＡＮインターフェース１２ｍ，無線ＬＡＮトランシーバ１２ｅ，Ｉ／Ｏポート及び各種入出力機器のコントローラとを、アドレスバス，データバス等のバスラインで接続した構成となっている。
【００２２】
図５は万引き防止装置１３の構成を示している。万引き防止装置１３は、表示器１３ａ、コントローラ１３ｂ、警報装置１３ｃ、ＬＡＮインターフェース１３ｄ、商品７に付された商品用無線タグ８のメモリ情報を読取り可能な無線タグリーダライタ１３ｅを備えている。そして、この無線タグリーダ１３ｅに接続されたアンテナ１３ｆを店の出口に設け、該出口より店外に出ようとする顧客が持っている商品７に付された商品用無線タグ８のメモリ情報を読取り、そのメモリ情報が精算済情報に書換えられていないことを検知した場合に、警報装置１３ｃが万引警告を発するものである。さらに、万引き防止装置１３に備付の無線タグリーダライタ１３ｅは商品に取り付けられた無線タグ８のキャパシタに充電された電力を放電させることができるようになっている。
【００２３】
図６は、無線タグ８の構成を示している。無線タグ８はアンテナ８ａ、負荷変調回路８ｂ、整流回路８ｃ、キャパシタ８ｄ、制御回路８ｅ、メモリ８ｆ、キャパシタ８ｄをオン・オフするスイッチ８ｇにより構成されている。制御回路８ｅは負荷変調回路８ｂとスイッチ８ｇを制御している。無線タグ８がメモリ８ｆに保存されたデータに基づき応答する場合に、負荷変調回路８ｂはそのデータ信号に基づいて負荷を変化させることで無線タグリーダライタ３や携帯端末１への返答信号であるバックスキャッタ信号を発生させる。スイッチ８ｇは、キャパシタ８ｄを充電状態とするか、キャパシタを放電状態にさせる。
【００２４】
図７は、無線タグ８の他の実施形態を示している。無線タグ８はアンテナ８ａ、負荷変調回路８ｂ、整流回路８ｃ、キャパシタ８ｄ、制御回路８ｅ、メモリ８ｆ、キャパシタ８ｄを放電させる放電回路８ｈにより構成されている。
【００２５】
図８は無線タグ８内部のメモリマップを示している。ヘッダはデータの開始を表している。商品コードはそれぞれの商品名を表している。固有ＩＤはそれぞれの商品に割り当てられた固有の識別番号である。精算フラグはその商品が仮精算状態であるか、未清算状態であるかを示している。顧客が商品棚２から商品７を取り出し、携帯端末１で商品のバーコード９を読取る（スキャン）とともに、携帯端末１に内蔵された無線タグリーダライタで無線タグ８の精算フラグを書き換え、仮精算状態とする。顧客が商品棚２にその商品７を戻した場合には、商品棚２の無線タグリーダライタ３が無線タグ８の精算フラグを未精算の状態に書き換える。このようにして、精算情報を仮精算状態と未清算状態に書き換えている。
【００２６】
無線タグ８の動作について説明する。商品７が商品棚２に置かれていると、無線タグリーダライタ３はアンテナ５からCW送信（無変調波（Continuous Wave））と信号送信を行い、定期的に無線タグ８のメモリ内にある精算情報を未清算の状態に書き換えている。無線タグ８はアンテナ５の近傍に位置するため、常にアンテナ５から放射される強電界の中に存在することになる。
【００２７】
無線タグ８のアンテナ８ａで受信した高周波電力を整流回路８ｃで直流電流に変換し、キャパシタ８ｄに充電する。整流回路８ｃはキャパシタ８ｄによりバイアス電圧を印加され、整流感度が高くなるため、無線タグ８の受信感度が高くなる。顧客が購入しようとする商品７を商品棚２から取り出した場合、商品７に付された無線タグ８が無線タグリーダライタから放射される強電界領域から出ることになる。無線タグ８が強電界領域から出ても、キャパシタ８ｄにより整流回路８ｃは高感度を維持できるため、数時間程度であれば無線タグ８は高感度の状態を維持できる。
【００２８】
商品決済システムの商品登録の手順を説明する。
【００２９】
店舗において、店員が無線タグ８とバーコード９を取り付けた商品７を商品棚２へ陳列すると、無線タグリーダライタ３がアンテナ５からCW送信と信号送信を行っているので、無線タグ８のメモリ内にある仮精算情報を未清算の状態に書き換える。これにより、商品７を商品棚２へ陳列し所定時間が過ぎると、全ての商品の仮精算情報は未清算の状態に自動的に書き換えられる。
【００３０】
顧客はカート６に買い物籠を載せ、携帯端末１を所持しながら購入しようとする商品７を探して店内を巡回する。携帯端末１は、店舗が顧客に貸与する場合と、顧客自身が携帯端末１を所有している場合がありうる。
【００３１】
商品７にはバーコード９と無線タグ８が取り付けられているが、全ての商品７に無線タグ８が取り付けられていない場合も想定される。そのため、顧客は商品を選び買い物籠に入れる際に、携帯端末１のバーコードリーダ１ｇで商品のバーコード９を読み取る。同時に、携帯端末１の無線タグリーダライタ１ｈは、商品に取り付けられている無線タグ８のメモリ８ｆ内の商品コードを読取りかつ精算フラグの精算情報を書き換え、仮精算の状態にする（図８参照）。無線タグリーダライタ１ｈが誤って他の商品に付いている無線タグ８の精算情報を書き換えてしまうことがないように、バーコードリーダ１ｇで読み取ったバーコード９の商品コードと無線タグ８の商品コードが一致したときに、無線タグ８の精算情報を書き換える。
【００３２】
商品７にバーコード９のみが付けられ無線タグ８が取り付けられていない場合には、バーコード９の読取りしかできない。すなわち、無線タグリーダライタ１ｈが無線タグ８の商品コードを読み取れなかった場合は、バーコード９の読取りのみとする。
【００３３】
バーコード９の商品コードを認識した携帯端末1のコントローラ１ｂは、無線LANトランシーバ１ｅによりアンテナ１ｆを介してアクセスポイント１０と無線接続し、サーバ１１に商品名と価格の問い合わせをおこなう。サーバ１１から返信された商品名と価格情報は、アクセスポイント１０と無線LANトランシーバ１ｅを介してコントローラ１ｂに蓄積されるとともに、表示器１ａに表示される。商品名とその商品価格をサーバへ照会し、情報を得ることをPLU (Price Look Up)と呼んでいる。コントローラ１ｂは、携帯端末１に備えられたメモリに、顧客が商品棚２から取り出した全ての商品７に関する商品情報（商品コード）を保存する。携帯端末１はカート６に載せた全商品の商品名や価格、合計金額を表示するので、顧客は買い物途中で合計金額を知ることができる。
【００３４】
顧客がバーコードリーダ１ｇで商品７のバーコード９を読取り、無線タグリーダライタが精算フラグを仮精算状態にした後、顧客が商品の購入をやめることもある。顧客が仮精算済みの商品７を商品棚２に戻すときは、顧客は携帯端末１のバーコードリーダ１ｇで商品７のバーコード９を読取り、携帯端末１内のその戻した商品情報を取り消す。顧客が仮精算済みの商品７を商品棚２へ戻すと、無線タグリーダライタ３はアンテナ５からCW送信と信号送信を行っているので、無線タグ８のメモリ内にある仮精算情報を未清算の状態に書き換える。
【００３５】
精算の手順を説明する。顧客は携帯端末１で仮精算された商品を買い物籠に入れ、カートに載せて精算機１２に向かう。顧客は精算機１２の前で携帯端末１を操作し、精算処理を開始する。携帯端末１は無線LANトランシーバ１ｅを介してアクセスポイント１０または精算機１２の無線LANトランシーバ１２ｆと接続し、携帯端末１の内蔵メモリに保存された商品情報を精算機１２に転送する。精算機１２は転送された商品コードについてPLUを行い、サーバ１１から商品名と価格を取得し、合計金額を計算して表示器１２ａに合計金額を表示する。
【００３６】
顧客は代金を精算機１２の金銭授受装置１２ｄに投入する。またはカードリーダ１２ｋにクレジットカードなどを通すことで支払いを行う。支払いが完了すると、精算機１２はレシートプリンタ１２ｈからレシートを発行するとともに、精算が完了したことを携帯端末１に無線LANトランシーバ１ｅを介して伝送する。携帯端末１が店舗から貸与されている場合は、ここで顧客は携帯端末１を店舗に返却する。
【００３７】
顧客がショッピングカート６に商品７を載せて精算場所へ運び、顧客が精算機１２に現金を投入するまたはクレージットカードで支払うので、店員の精算における作業は軽減する。顧客によっては、店員を介して精算することもあるが、その場合であっても商品を運ぶなどの作業は軽減される。
【００３８】
万引き防止チェックの手順を説明する。顧客は買い物籠を載せたカート６と共に万引き防止装置１３を通過する。万引き防止装置１３のアンテナ１３ｆから商品７の無線タグ８に対して問い合わせ信号を送信すると、無線タグ８は精算情報のみを返信する。一般的に、顧客が店舗内に滞留する時間、すなわち商品を携帯端末１で仮精算してから、精算機１２で精算するまでの時間は、概ね1時間以内だと考えられる。無線タグ８のキャパシタ８ｄは、1時間以上持続するように設計されているため、無線タグ８は高感度を維持している。
【００３９】
従って、商品７が買い物籠の中にランダムに収納された状態でも、また、アルミ蒸着のパッケージなどの商品７が混在し無線タグ８のアンテナ８ａが不整合を起こしていても、万引き防止装置１３は確実に無線タグ８と通信できる。もし、精算情報が未清算である無線タグを万引き防止装置１３が検出した場合は、警報装置１３ｃにより警報を発する。
【００４０】
また、精算情報が未精算の無線タグを一つも検出しなかった場合は、無線タグ８のスイッチ８ｇがオフになるように、万引き防止装置１３は制御信号を無線タグ８に向けて送信する。この信号を受信した無線タグ８の制御回路８ｅがスイッチ８ｇをオフにすることで、キャパシタ８ｄは無効になり整流回路の感度が低下する。つまり、無線タグ８の感度が低下するため、店外で不用意に無線タグの情報を読み取られる危険性は大幅に減少する。
【００４１】
また、図７に示す無線タグ８の構成の場合は、万引き防止装置１３が送信した制御信号により、無線タグ８の制御回路８ｅは放電回路８ｈを動作させ、キャパシタ８ｄは放電する。従って、無線タグ８の感度が低下するため、店外で不用意に無線タグの情報を読み取られる危険性は大幅に減少する。
【００４２】
万引き防止装置では、無線タグの精算情報のみを読取り、一つでも未精算の商品があると警報を発するように、構成されている。警報を発することで、商品が盗難にあうことを防止することができる。また、無線タグのキャパシタを放電させることによって無線タグの感度を低下させるため、顧客が購入した商品情報を保護することが可能になる。無線タグのキャパシタが１時間程度高感度状態を保ち、顧客が買い物を済ませ店舗から退出したころには、無線タグの感度が低下することになるため、顧客が購入した商品についてプライバシーの保護も可能になる。
【産業上の利用可能性】
【００４３】
バーコードと無線タグを備える商品を、携帯端末を用いて短時間で決済処理を完了させることができる。店舗にとって商品を精算機に運ぶ作業が軽減し、店員の作業を軽減する。商品を盗難されることを防止することができる。
【００４４】
スーパーマーケットや、ショッピングセンターなどでショッピングカートに載せて運ぶ複数の商品の決済処理を、短時間で実行することが可能になる。
【符号の説明】
【００４５】
１  携帯端末
２  商品棚
３  リーダライタ
４  同軸ケーブル
５  棚アンテナ
６  ショッピングカート
７  商品
８  無線タグ
９  バーコード
１０  アクセスポイント
１１  サーバ
１２  精算機
１３  万引き防止装置
【先行技術文献】
【特許文献】
【００４６】
【特許文献１】特開平１０−４９７５６号公報
【特許文献２】特開２００６−１６６４１５号公報
【特許文献３】特開２００７−２００２３９号公報
【図１】
2010204846.tif 000003
【図２】
2010204846.tif 000004
【図３】
2010204846.tif 000005
【図４】
2010204846.tif 000006
【図５】
2010204846.tif 000007
【図６】
2010204846.tif 000008
【図７】
2010204846.tif 000009
【図８】
2010204846.tif 000010